(57)【要約】【課題】押ボタンを押したとき押ボタンがトップケースのボタン穴に沈み込むのを確実に防止できるリモートコントロール措置を提供する。【解決手段】押ボタン２の裏面２ｅの少なくとも周縁部に、押ボタン２をトップケース５のボタン穴５ａに押し込んだときにプリント配線基板１の表面に当接する当接部２ａを形成すると共に、押ボタン２を押し込んだときにプリント配線基板１の表面の端子部１ａと接触する導電膜２ｂを当接部２ａの下面に形成した構成のリモートコントロール装置とする。押ボタン２を押し込む際に力Ｆが押ボタン２に偏って作用した場合でも、押ボタン２の裏面２ｅの少なくとも周縁部に形成した当接部２ａによって、押ボタン２が傾斜した姿勢でボタン穴に押し込まれないようにして押ボタン２の沈み込みを防止する。【選択図】図３
2011113819.tif 000002
【特許請求の範囲】
【請求項１】
プリント配線基板の上に、押ボタンが形成された軟質シートを押ボタンをプリント配線基板から浮かせた状態で重ね、このプリント配線基板と軟質シートをボトムケース及びトップケースの内部に収容して、押ボタンをトップケースのボタン穴から突出させたリモートコントロール装置において、
押ボタンの裏面の少なくとも周縁部に、押ボタンをトップケースのボタン穴に押し込んだときにプリント配線基板の表面に当接する当接部を形成すると共に、押ボタンを押し込んだときにプリント配線基板の表面の端子部と接触する導電膜を上記当接部の下面に形成したことを特徴とするリモートコントロール装置。
【請求項２】
上記押ボタンの裏面全体又は裏面の外周端部を除いた部分に上記当接部を形成すると共に、上記導電膜を上記当接部の下面の全体又は一部に形成したことを特徴とする請求項１に記載のリモートコントロール装置。
【請求項３】
上記押ボタンの裏面の周縁部に上記当接部を枠状又は不連続な枠片状に形成し、この枠状又は不連続な枠片状の当接部の下面の全体又は一部に上記導電膜を形成したことを特徴とする請求項１に記載のリモートコントロール装置。
【発明の詳細な説明】
【技術分野】
【０００１】
本発明はリモートコントロール装置に関し、更に詳しくは、押ボタンを押したとき押ボタンがトップケースのボタン穴に沈み込まないように改良したリモートコントロール装置に関する。
【背景技術】
【０００２】
テレビなどのリモートコントロール装置は、図１１に示すように、プリント配線基板１の上に、押ボタン２を形成した軟質シート３を押ボタン２がプリント配線基板１から浮き上がった状態で重ね、このプリント配線基板１と軟質シート３をボトムケース４及びトップケース５の内部に収容して、押ボタン２をトップケース５のボタン穴５ａから突出させた構造のものが多い。
【０００３】
このようなリモートコントロール装置は、通常、押ボタン２の裏面の中央部に、押ボタン２をトップケース５のボタン穴５ａに押し込んだときにプリント配線基板１の表面に当接する当接部２ａを下向きに突設して、この当接部２ａの下面に導電膜２ｂを形成しているため、押ボタン２を押し込むと、この当接部２ａの下面の導電膜２ｂがプリント配線基板１の表面の端子部１ａに接触して通電されるようなっている。
【０００４】
一方、押ボタン部の裏面中央に凸部を設けて、この凸部の下面に特定のシリコーンゴム組成物の硬化物からなる導電性エラストマーのゴム接点部材を取付け、押ボタン部を押すと、ゴム接点部材が回路基板の固定接点に接触して導通するようにした押ボタンスイッチ部材（特許文献１）や、操作ボタンの裏面に接触抵抗発生板を取付け、操作ボタンを押すと接触抵抗発生板が基板の導電ランドに接触するようにした可変抵抗器（特許文献２）なども提案されている。
【先行技術文献】
【特許文献】
【０００５】
【特許文献１】特開２００１−１８４９６４号公報
【特許文献２】特開２００２−５７００６号公報
【発明の概要】
【発明が解決しようとする課題】
【０００６】
図１１に示す従来のリモートコントロール装置は、本来、導電膜２ｂがプリント配線基板１の表面の端子部１ａに接触して通電されるとよいものであるから、押ボタン２の裏面中央部に小さな当接部２ａを突設して導電膜２ｂの面積が極力小面積となるように設計されることが多い。けれども、当接部２ａを小さくして導電膜２ｂを極力小面積にすると、当接部２ａから押ボタン２の周囲の支持壁部２ｃまでのクリアランス２ｄが大きくなるため、図１２に示すように、押ボタン２をトップケース５のボタン穴５ａに押し込む際に力Ｆが押ボタン２の片側に偏って作用すると、押ボタン２が傾斜した姿勢でボタン穴５ａに沈み込み、ボタン穴５ａの内壁面に引っ掛かってボタン穴５ａから元通りに突出しないことがあり、問題となっていた。
【０００７】
一方、前記特許文献１の押ボタンスイッチ部材や前記特許文献２の可変抵抗器の操作ボタンは、ボタン穴への沈み込みが生じる構造ではないため、沈み込みを防止する対策が採られてなく、従って、これらの特許文献１，２の技術をもって上記リモートコントロール装置における押ボタンの沈み込みの問題を解決することはできない。
【０００８】
本発明は上記事情の下になされたもので、その解決しようとする課題は、押ボタンを押したとき押ボタンがトップケースのボタン穴に沈み込むのを確実に防止できるリモートコントロール措置を提供することにある。
【課題を解決するための手段】
【０００９】
上記課題を解決するため、本発明に係るリモートコントロール装置は、プリント配線基板の上に、押ボタンが形成された軟質シートを押ボタンをプリント配線基板から浮かせた状態で重ね、このプリント配線基板と軟質シートをボトムケース及びトップケースの内部に収容して、押ボタンをトップケースのボタン穴から突出させたリモートコントロール装置において、押ボタンの裏面の少なくとも周縁部に、押ボタンをトップケースのボタン穴に押し込んだときにプリント配線基板の表面に当接する当接部を形成すると共に、押ボタンを押し込んだときにプリント配線基板の表面の端子部と接触する導電膜を上記当接部の下面に形成したことを特徴とするものである。
【００１０】
本発明のリモートコントロール装置においては、押ボタンの裏面全体又は裏面の外周端部を除いた部分に当接部を形成して、この当接部の下面の全体又は一部に導電膜を形成してもよいし、押ボタンの裏面の周縁部に当接部を枠状又は不連続な枠片状に形成して、この枠状又は不連続な枠片状の当接部の下面の全体又は一部に導電膜を形成してもよい。
【発明の効果】
【００１１】
本発明のリモートコントロール装置のように、押ボタンの裏面の少なくとも周縁部に、押ボタンをトップケースのボタン穴に押し込んだときにプリント配線基板の表面に当接する当接部を形成してあると、当接部と押ボタンの周囲の支持壁部との間にクリアランスが殆ど生じないため、押ボタンを押し込む際に押す力が押ボタンの前後左右のいずれかに偏って作用しても、押ボタンが傾斜することなく水平な状態で押し込まれてボタン穴の内壁面に引っ掛からなくなる。従って、押す力を解除すると、押ボタンがボタン穴から元通りに突出し、沈み込みの問題を確実に解消することができる。そして、押ボタンを押し込んだときに、当接部の下面の導電膜がプリント配線基板の表面の端子部に接触して通電し、リモートコントロールを行うことができる。
【００１２】
本発明のリモートコントロール装置において、押ボタンの裏面全体又は裏面の外周端部を除いた部分に当接部を形成し、この当接部の下面の全体又は一部に導電膜を形成したものは、当接部の下面の面積が大きいので、その範囲内で所望のパターンの導電膜を形成することが可能となり、導電膜の形成パターンの自由度が増大するという利点がある。また、押ボタンの裏面の周縁部に当接部を枠状又は不連続な枠片状に形成して、この枠状又は不連続な枠片状の当接部の下面の全体又は一部に導電膜を形成したものは、押ボタンの沈み込みを防止しつつ、当接部及び導電膜を小面積化して、材料の使用量を節約できる利点がある。
【図面の簡単な説明】
【００１３】
【図１】本発明の一実施形態に係るリモートコントロール装置の分解斜視図である。
【図２】同リモートコントロール装置の横断面図である。
【図３】一つの押ボタンを押し込んだ状態の同リモートコントロール装置の横断面図である。
【図４】押ボタンの一態様を示すもので（ａ）はその底面図、（ｂ）はその断面図である。
【図５】押ボタンの他の態様を示すもので（ａ）はその底面図、（ｂ）はその断面図である。
【図６】押ボタンの更に他の態様を示すもので（ａ）はその底面図、（ｂ）はその断面図である。
【図７】押ボタンの更に他の態様を示すもので（ａ）はその底面図、（ｂ）はその断面図である。
【図８】押ボタンの更に他の態様を示すもので（ａ）はその底面図、（ｂ）はその断面図である。
【図９】押ボタンの更に他の態様を示すもので（ａ）はその底面図、（ｂ）はその断面図である。
【図１０】押ボタンの更に他の態様を示すもので（ａ）はその底面図、（ｂ）はその断面図である。
【図１１】従来のリモートコントロール装置の部分断面図である。
【図１２】一つの押ボタンを押し込んだ状態の従来のリモートコントロール装置の部分断面図である。
【発明を実施するための形態】
【００１４】
図１，図２に例示のリモートコントロール装置（以下、リモコン装置と略記する）は、プリント配線基板１の上に、種々の押ボタン２が一体に形成された軟質シート３を、押ボタン２をプリント配線基板１から浮かせた状態で重ね、このプリント配線基板１と軟質シート３を合成樹脂製のボトムケース４及びトップケース５の内部に収容して、各押ボタン２をトップケース５の対応するボタン穴５ａから突出させた構造を備えている。
【００１５】
プリント配線基板１の表面には、一対の露出した端子部１ａ，１ａが各押ボタン２の直下に位置して形成されており、押ボタン２をトップケース５のボタン穴５ａに押し込むと、押ボタン２の後述する導電膜２ｂが一対の端子部１ａ，１ａに接触して導通されるようになっている。そして、プリント配線基板１の後端部にはＩＣチップ６が実装され、また、先端にはＬＥＤレンズ７が取付けられて、このＬＥＤレンズ７からの光線照射によりテレビ等の遠隔操作ができるようになっている。尚、プリント配線基板１の裏面には、ボトムケース４に脱着交換自在に内蔵される電池８と接触する渦巻き状の電源用端子（不図示）が設けられている。
【００１６】
プリント基板１の表面に重ねられる軟質シート３は、柔軟で弾力性を備えた合成ゴム等からなるものであって、種々の押ボタン２が一体に形成されたシートである。各押ボタン２は、各押ボタン２の下側周囲に一体に形成された下拡がり状の支持壁部２ｃで支持されているため、プリント基板１の表面から浮き上がり、各押ボタン２の上部がトップケース５のボタン穴５ａから突出するようになっている。そして、この支持壁部２ｃの肉厚が薄いため、図３に示すように押ボタン２を上方から押すと、支持壁部２ｃが弾力的に曲げ変形して、押ボタン２がトップケース５のボタン穴５ａに押し込まれるようになっており、押す力を解除すると、支持壁部２ｃが弾発的に復元して押ボタン２が浮上し、元通りにボタン穴５ａから突出するようになっている。
【００１７】
図２，図３，図４に示すように、各押ボタン２の裏面２ｅには、各押ボタン２をボタン上面がトップケース５のボタン穴５ａの周囲の上面と略面一となるまで押し込んだときにプリント配線基板１の表面に当接する当接部２ａが、各押ボタン２の裏面全体に亘って形成されている。そして、この当接部２ａの下面全体に亘って、導電膜２ｂが形成されている。この導電膜２ｂは、カーボンを含んだ導電インクを当接部２ａの下面全体にベタ印刷して形成されたものである。
【００１８】
このリモコン装置は、上記のように押ボタン２の裏面２ｅの全体に亘って当接部２ａを形成し、該当接部２ａの下面全体に導電膜２ｂを形成しているので、当接部２ａと支持壁部２ｃとの間に、押ボタン２が傾斜して押し込まれる原因となるクリアランスが殆ど生じない。そのため、図３に示すように、押ボタン２を押し込む際に力Ｆが押ボタン２の前後左右のいずれかに偏って作用しても、押ボタン２が傾斜することなく水平な状態で押し込まれてボタン穴５ａの内壁面に引っ掛からなくなる。従って、押す力Ｆを解除すると、押ボタン２が支持壁部２ｃの弾性復元力によって浮上し、ボタン穴５ａから元通りに突出するので、沈み込みの問題を確実に解消することができる。そして、押ボタン２を押し込んだときには、当接部２ａの下面の導電膜２ｂがプリント配線基板１の表面の端子部１ａ，１ａに接触して通電されるため、ＬＥＤレンズ７からの光線照射によってテレビ等の遠隔操作を行うことができる。
【００１９】
上記のリモコン装置では、押ボタン２の裏面２ｅの全体に当接部２ａを形成しているが、図５に示すように、押ボタン２の裏面２ｅの外周端部２ｆを除いた部分に当接部２ａを形成し、この当接部２ａの下面の全体に導電膜２ｂを形成してもよい。このように押ボタン２の裏面２ｅの外周端部２ｆを除いた部分に当接部２ａを形成すると、当接部２ａと支持壁部２ｃとの間のクリアランスは若干大きくなるが、その程度のクリアランスの大きさでは押ボタン２が傾斜した状態でボタン穴５ａに押し込まれて沈み込む心配がなく、むしろ、外周端部２ｆのクリアランスを拡大することで支持壁部２ｃの弾力的な曲げ変形が容易になり、押ボタン２を小さな力でスムーズに押し込み、復元させることができるので、押ボタン２の操作感触が向上するという利点がある。
【００２０】
また、図６に示すように、押ボタン２の裏面２ｅの外周端部２ｆを除いた部分に当接部２ａを形成して、該当接部２ａの下面の一部に所望のパターン形状の導電膜２ｂを形成したり、押ボタン２の裏面２ｅの全体に当接部２ａを形成して、該当接部２ａの下面の一部に所望のパターン形状の導電膜を形成してもよい。このように押ボタン２の裏面２ｅの全体、又は、裏面２ｅの外周端部２ｆを除いた部分に当接部２ａを形成すると、当接部２ａの下面の面積が大きいので、その範囲内で所望のパターン形状の導電膜２ｂを形成することが可能となり、導電膜２ｂの形成パターンの自由度が増大するという利点がある。
【００２１】
本発明のリモコン装置は、押ボタン２の裏面２ｅの少なくとも周縁部に当接部２ａが形成されていれば、押ボタン２が傾斜した姿勢でボタン穴５ａに押し込まれることがなくなるので、押ボタン２の沈み込み防止という目的を達成することが可能である。
【００２２】
図７〜図１０は、そのように押ボタン２の裏面２ｅの周縁部に当接部２ａを形成した代表的な態様を例示したものであって、図７では、押ボタン２の裏面２ｅの周縁部に当接部２ａを方形枠状に形成し、この方形枠状の当接部２ａの下面全体に導電膜２ｂを形成している。
また、図８では、押ボタン２の裏面２ｅの周縁部に当接部２ａを方形枠状に形成し、この方形枠状の当接部２ａの下面の一部（当接部２ａの左右の枠片部分の下面のみ）に導電膜２ｂを形成している。
そして、図９では、押ボタン２の裏面２ｅの周縁部に当接部２ａを不連続な枠片状に形成し、この当接部２ａの一部の下面（左右の枠片状の当接部２ａの下面）に導電膜２ｂを形成している。
更に、図１０では、押ボタン２の裏面２ｅの中央部から周縁部に至る放射状の当接部２ａを形成し、この放射状の当接部２ａの下面に導電膜２ｂを形成している。
【００２３】
図７〜図９に示すように、押ボタン２の裏面２ｅの周縁部に当接部２ａを枠状又は不連続な枠片状に形成して、この枠状又は不連続な枠片状の当接部２ａの下面の全体又は一部に導電膜２ｂを形成する場合や、図１０に示すように、押ボタン２の周縁部に至る放射状の当接部２ａを形成して、その下面に導電膜２ｂを形成する場合は、押ボタン２の沈み込みを防止しつつ、当接部２ａ及び導電膜２ｂを小面積化して、材料の使用量を節約できる利点がある。
【００２４】
以上、具体的な実施形態を挙げて本発明を説明したが、本発明の沈み込み防止対策が必要な押ボタン２は、押ボタン２の裏面の中央部に小さな当接部があるだけでは傾斜状態でボタン穴５ａに押し込まれて沈み込みが生じる面積の大きい押ボタン２であるから、面積の小さい押ボタンには沈み込み防止対策を施す必要はない。
また、以上の実施形態では、方形の押ボタン２を例示して説明したが、円形、長円形、楕円形、不定形の押ボタンの場合も同様の沈み込み防止対策を施せばよいことは言うまでもない。
【符号の説明】
【００２５】
１    プリント配線基板
１ａ  端子部
２    押ボタン
２ａ  当接部
２ｂ  導電膜
２ｃ  支持壁部
２ｄ  クリアランス
２ｅ  押ボタンの裏面
２ｆ  押ボタンの裏面の外周端部
３    軟質シート
４    ボトムケース
５    トップケース
５ａ  ボタン穴
【図１】
2011113819.tif 000003
【図２】
2011113819.tif 000004
【図３】
2011113819.tif 000005
【図４】
2011113819.tif 000006
【図５】
2011113819.tif 000007
【図６】
2011113819.tif 000008
【図７】
2011113819.tif 000009
【図８】
2011113819.tif 000010
【図９】
2011113819.tif 000011
【図１０】
2011113819.tif 000012
【図１１】
2011113819.tif 000013
【図１２】
2011113819.tif 000014